(57)【要約】【課題】単位巻部間の絶縁破壊を有効に抑制することが出来、然も手巻きによって容易に作製することが可能なコイル装置を提供する。【解決手段】本発明に係るコイル装置は、リング状のコア１と、該コアの周囲に１本の導線を連続的に巻回してなる少なくとも１つのコイル２とを具え、コイル２は、コア１の磁路方向に沿って順次形成された複数の単位コイル部24から構成され、隣接する単位コイル部どうしが１箇所のみにて互いに電気的に繋がっており、各単位コイル部24は、コアの少なくとも内周側にて積み重ねられた複数の単位巻部21、22、23から構成され、コアの少なくとも内周側における各単位コイル部24の積層構造は、下層の２つの単位巻部21、22の上に１つの単位巻部23が積み上げられている。【選択図】図３
2014056861.tif 000002
【特許請求の範囲】
【請求項１】
リング状のコアと、該コアの周囲に１本の導線を連続的に巻回してなる少なくとも１つのコイルとを具えたコイル装置において、
前記コイルは、前記コアの磁路方向に沿って順次形成された複数の単位コイル部から構成され、隣接する単位コイル部どうしが１箇所のみにて互いに電気的に繋がっており、
各単位コイル部は、前記導線を連続的に巻回することにより前記コアの少なくとも内周側にて積み重ねられた、複数の単位巻部から構成され、
前記コアの少なくとも内周側における各単位コイル部の積層構造は、三角形の３つの頂点に位置する任意の３つの単位巻部に着目したとき、下層の２つの単位巻部の上に上層の１つの単位巻部が積み上げられていることを特徴とするコイル装置。
【請求項２】
前記３つの単位巻部は、連続して順次巻回されたものである請求項１に記載のコイル装置。
【請求項３】
前記コイルを構成する複数の単位巻部の巻線順序を連続の巻線番号で表わした場合、前記コアの少なくとも内周側における各単位コイル部の積層構造は、三角形の３つの頂点に位置する任意の３つの単位巻部に着目したとき、下層の２つの単位巻部の上に両単位巻部の巻線番号よりも大きな巻線番号を有する１つの単位巻部が積み上げられている請求項１又は請求項２に記載のコイル装置。
【請求項４】
リング状のコアと、該コアの周囲に１本の導線を連続的に巻回してなる少なくとも１つのコイルとを具えたコイル装置において、
前記コイルは、前記コアの磁路方向に沿って順次形成された複数の単位コイル部から構成され、隣接する単位コイル部どうしが１箇所のみにて互いに電気的に繋がっており、
各単位コイル部は、前記導線を連続的に巻回することにより前記コアの少なくとも内周側にて積み重ねられた、複数の単位巻部から構成され、
前記コアの少なくとも内周側における各単位コイル部の積層構造は、下層の２つの単位巻部の上に上層の１つの単位巻部が積み上げられた、３つの単位巻部からなる積層単位パターンの繰り返しとなっていることを特徴とするコイル装置。
【請求項５】
前記積層単位パターンの繰り返しは、各積層単位パターンを構成する３つの単位巻部の何れもが他の積層単位パターンの単位巻部と重複することのない位置関係を有している請求項４に記載のコイル装置。
【請求項６】
前記積層単位パターンの繰り返しは、各積層単位パターンを構成する３つの単位巻部の内の１つの単位巻部が他の積層単位パターンの１つの単位巻部と重複する位置関係を有している請求項４に記載のコイル装置。
【請求項７】
前記コイルを構成する複数の単位巻部の巻線順序を連続の巻線番号で表わした場合、前記コアの少なくとも内周側における各単位コイル部の積層構造は、下層の２つの単位巻部の上に両単位巻部の巻線番号よりも大きな巻線番号を有する１つの単位巻部が積み上げられた、３つの単位巻部からなる積層単位パターンの繰り返しとなっている請求項４乃至請求項６の何れかに記載のコイル装置。
【請求項８】
前記コアの少なくとも内周側における各単位コイル部の積層構造は、下方のコイル層から上方のコイル層に向かって、各コイル層を構成する単位巻部の数が少なくなっている請求項１乃至請求項７の何れかに記載のコイル装置。
【請求項９】
前記コアには、３相交流の電圧が印加されるべき３つのコイルが巻装されている請求項１乃至請求項８の何れかに記載のコイル装置。
【発明の詳細な説明】
【技術分野】
【０００１】
本発明は、リング状のコアの周囲に導線を巻回してなるコイル装置に関するものである。
【背景技術】
【０００２】
従来、リング状のコア(トロイダルコア)の周囲に導線を巻回してなるコイル装置が知られている(特許文献１)。
例えば図２５に示すコイル装置は、ギャップ部を有しないリング状のコア(１)の周囲に、導線(60)を巻回してなる３つのコイル(６)(６)(６)を装備したものであって、これら３つのコイル(６)(６)(６)には３相交流の電圧が印加される。
尚、コア(１)は、リング状の磁性コア片の表面を絶縁樹脂ケースにより覆ったものである。
【０００３】
図２６は、上記コイル装置における１つのコイル(６)の巻線順序を数字の巻線番号で表わしており、コア(１)の外周側では１層、内周側では２層の積層構造を有している。
図示の如く、先ず、コア(１)の内周側で１層目の単位コイル部を構成する複数の単位巻部が、番号０→０.５→１→１.５→２→・・・→８→８.５の巻線順序で巻回され、その後、２層目の単位コイル部を構成する複数の単位巻部が、番号９→９.５→１０→１０.５→１１→・・・→１４→１４.５の巻線順序で巻回されている。
【０００４】
尚、この様なコイル装置における導線(60)の巻回は、従来より手作業で行なわれている。
【先行技術文献】
【特許文献】
【０００５】
【特許文献１】特開２０１２−１５４２６号公報
【特許文献２】特開２００３−８６４３８号公報
【発明の概要】
【発明が解決しようとする課題】
【０００６】
しかしながら、図２６に示すコイル装置においては、コアの内周側にて番号“０.５”の単位巻部と番号“１４.５”の単位巻部とが互いに重なっているため、この２つの単位巻部には、巻線順序の番号の差“１４”に比例する大きな電位差が生じることとなり、この大きな電位差が前記２つの単位巻部間の絶縁破壊の原因となる問題があった。
【０００７】
そこで、磁気ギャップ部を有するコアにコイルを巻装してなるコイル装置において、コイルは、１本の導線を渦巻き状に巻回して形成される複数の単位コイル部から構成され、これらの単位コイル部が巻軸方向に繰り返し並んでおり、各単位コイル部は、互いに内周長の異なる複数の単位巻部から形成され、内周長の大きな単位巻部の内側に内周長の小さな単位巻部の少なくとも一部が侵入しているコイル装置(以下、バンク巻きコイル装置という)と、その製造方法が提案されている(特許文献２)。
【０００８】
バンク巻きコイル装置によれば、各単位コイル部の巻回工程で下層から上層へ単位巻部が積み上げられるので、互いに接触する２つの単位巻部の電位差が小さくなり、単位巻部間の絶縁破壊を効果的に抑制することが出来る。
【０００９】
ところが、バンク巻きコイル装置の製造方法は、磁気ギャップ部を有するコアを対象としたものであり、磁気ギャップ部を有しないコアを用いたバンク巻きコイル装置は自動機によって効率的に製造することが出来ない。
又、バンク巻きコイル装置は、手巻きによって作製することも非常に困難である。
【００１０】
本発明の目的は、磁気ギャップ部を有しないコアを用いたコイル装置において、単位巻部間の絶縁破壊を有効に抑制することが出来、然も手巻きによって容易に作製することが可能なコイル装置を提供することである。
【課題を解決するための手段】
【００１１】
本発明に係るコイル装置は、リング状のコアと、該コアの周囲に１本の導線を連続的に巻回してなる少なくとも１つのコイルとを具え、
前記コイルは、前記コアの磁路方向に沿って順次形成された複数の単位コイル部から構成され、隣接する単位コイル部どうしが１箇所のみにて互いに電気的に繋がっており、
各単位コイル部は、前記導線を連続的に巻回することにより前記コアの少なくとも内周側にて積み重ねられた、複数の単位巻部から構成され、
前記コアの少なくとも内周側における各単位コイル部の積層構造は、三角形の３つの頂点に位置する任意の３つの単位巻部に着目したとき、下層の２つの単位巻部の上に上層の１つの単位巻部が積み上げられている。
【００１２】
即ち、前記コアの少なくとも内周側における各単位コイル部の積層構造は、下層の２つの単位巻部の上に上層の１つの単位巻部が積み上げられた、３つの単位巻部からなる積層単位パターンの繰り返しとなっている。
【００１３】
ここで、前記積層単位パターンの繰り返しは、各積層単位パターンを構成する３つの単位巻部の何れもが他の積層単位パターンの単位巻部と重複することのない位置関係を有し、或いは、各積層単位パターンを構成する３つの単位巻部の内の１つの単位巻部が他の積層単位パターンの１つの単位巻部と重複する位置関係を有している。
【００１４】
上記本発明のコイル装置の巻線工程では、１本の導線をコアの周囲に連続的に巻回することによって、コアの磁路方向に沿って、複数の単位コイル部を順次形成する。
各単位コイル部の巻回工程では、コアの少なくとも内周側において各単位巻部を積層する過程で、三角形の３つの頂点に位置する３つの単位巻部を巻回する単位巻線処理を繰り返す。この処理は、手作業によっても可能である。
【００１５】
これによって、下層の２つの単位巻部の上に１つの単位巻部が積み上げられることとなり、この３つの単位巻部からなる積層単位パターンが繰り返されて、１つの単位コイル部が形成されることになる。
【００１６】
この様に、複数の単位コイル部がコアの磁路方向に沿って順次形成されるので、隣接する単位コイル部間の電位差は小さくなる。然も、各単位コイル部の巻回工程では３つの単位巻部を形成する単位巻線処理が繰り返されるので、１つの単位コイル部内における単位巻部間の電位差も小さくなる。
【発明の効果】
【００１７】
本発明によれば、磁気ギャップ部を有するコアにコイルを巻装してなるコイル装置において、互いに接触する単位巻部間の絶縁破壊を有効に抑制することが出来、然もこの様なコイル装置を手巻きによって容易に作製することが出来る。
【図面の簡単な説明】
【００１８】
【図１】図１は、本発明を２層のコイル装置に実施した第１実施形態の一部破断平面図である。
【図２】図２は、本発明を２層のコイル装置に実施した第２実施形態の一部破断平面図である。
【図３】図３は、第１実施形態のコイル装置における巻線順序を表わす図である。
【図４】図４は、第２実施形態のコイル装置における巻線順序を表わす図である。
【図５】図５は、コアに導線を巻く過程において巻き始めと巻終わりの表記方法を示す斜視図である。
【図６】図６は、第１実施形態のコイル装置において巻線工程の第１ステップを表わす図である。
【図７】図７は、同上の第２ステップを表わす図である。
【図８】図８は、同上の第３ステップを表わす図である。
【図９】図９は、同上の第４ステップを表わす図である。
【図１０】図１０は、同上の第５ステップを表わす図である。
【図１１】図１１は、同上の第６ステップを表わす図である。
【図１２】図１２は、第２実施形態のコイル装置において巻線工程の第１ステップを表わす図である。
【図１３】図１３は、同上の第２ステップを表わす図である。
【図１４】図１４は、同上の第３ステップを表わす図である。
【図１５】図１５は、同上の第４ステップを表わす図である。
【図１６】図１６は、同上の第５ステップを表わす図である。
【図１７】図１７は、同上の第６ステップを表わす図である。
【図１８】図１８は、本発明を３層のコイル装置に実施した第３実施形態の一部破断平面図である。
【図１９】図１９は、本発明を３層のコイル装置に実施した第４実施形態の一部破断平面図である。
【図２０】図２０は、第３実施形態のコイル装置における巻線順序を表わす図である。
【図２１】図２１は、第４実施形態のコイル装置における巻線順序を表わす図である。
【図２２】図２２は、本発明を２層のコイル装置に実施した第５実施形態のコイル装置における巻線順序を表わす図である。
【図２３】図２３は、第５実施形態のコイル装置において巻線工程の第１、第２、第３ステップを表わす図である。
【図２４】図２４は、同上の第４、第５、第６ステップを表わす図である。
【図２５】図２５は、従来のコイル装置の一部破断平面図である。
【図２６】図２６は、従来のコイル装置における巻線順序を表わす図である。
【発明を実施するための形態】
【００１９】
以下、本発明の実施の形態につき、図面に沿って具体的に説明する。尚、図面において、導線の断面を表わす円形の内部に記載した数字は、導線の巻線順序を表わしており、導線を１周(３６０度)巻いたときの増分を“１”とし、導線を半周(１８０度)巻いたときの増分を“０.５”の大きさで表わしている。
【００２０】
本発明の第１実施形態であるコイル装置においては、図１に示す如く、磁気ギャップ部を有しないリング状のコア(１)に、１２０度の間隔で３つのリブ(11)(11)(11)が突設されており、隣接する２つのリブ(11)(11)の間にそれぞれ、表面が絶縁被覆された導線(20)を巻回してなるコイル(２)が巻装されており、３つのコイル(２)(２)(２)に対して３相の交流電圧が印加されるものである。
尚、コア(１)は、リング状の磁性コア片の表面を絶縁樹脂ケースにより覆ったものである。
【００２１】
該コイル装置において、各コイル(２)は１本の導線(20)を連続的に巻回して形成されており、図３に示す如く、コア(１)の外周側で１層、コア(１)の内周側で２層の積層構造を有している。
【００２２】
該コイル(２)は、コア(１)の磁路に沿って複数の単位コイル部(24)を反時計回りに順次巻回したものであり、隣接する単位コイル部(24)(24)どうしは１箇所のみにて１本の導線により互いに繋がっている。
【００２３】
各単位コイル部(24)は、第１単位巻部(21)、第２単位巻部(22)及び第３単位巻部(23)から構成されており、コア(１)の外周側では、これらの単位巻部(21a)(22a)(23a)がコア(１)に沿って順番に並んでいる。
一方、コア(１)の内周側では、第１単位巻部(21)、第２単位巻部(22)及び第３単位巻部(23)が三角形の３つの頂点に位置しており、下層の第１単位巻部(21)及び第２単位巻部(22)の上に、上層の第３単位巻部(23)が積み上げられている。
【００２４】
図６〜図１１は、上記コイル装置におけるコイル(２)の巻線工程を表わしている。尚、これらの工程図においては、図５に示す如く巻始めと巻終わりを表記する。
先ず図６の如く第１単位巻部(21)を形成した後、図７の如く第１単位巻部(21)の隣に第２単位巻部(22)を形成し、その後、図８の如くコア内周側にて第１単位巻部(21)と第２単位巻部(22)の上に第３単位巻部(23)が積み上げられる様に、第３単位巻部(23)を形成し、１つの単位コイル部(24)を完成する。
【００２５】
続いて図９の如く該単位コイル部(24)の隣に次の第１単位巻部(21)を形成し、その後は同じ工程を繰り返すことによって、図１０及び図１１の如く複数の単位コイル部(24)を順次形成していくのである。
【００２６】
本発明の第２実施形態であるコイル装置は、図２に示す如く、磁気ギャップ部を有しないリング状のコア(１)の周囲に、表面が絶縁被覆された導線(20)を巻回してなる３つのコイル(３)(３)(３)が巻装されている。
【００２７】
該コイル装置において、各コイル(３)は１本の導線(30)を連続的に巻回して形成されており、図４に示す如く、コア(１)の内周側で２層の積層構造を有すると共に、コア(１)の外周側では、導線どうしが互いに重ならない位置関係の２層構造を有している。
【００２８】
該コイル(３)は、コア(１)の磁路に沿って複数の単位コイル部(34)を反時計回りに順次巻回したものであり、隣接する単位コイル部(34)(34)どうしは１箇所のみにて１本の導線により互いに繋がっている。
【００２９】
各単位コイル部(34)は、第１単位巻部(31)、第２単位巻部(32)及び第３単位巻部(33)から構成されており、コア(１)の外周側では、コア(１)に沿って反時計方向に、第１単位巻部(31a)、第３単位巻部(33a)、第２単位巻部(32a)の順序で並んでいる。
一方、コア(１)の内周側では、第１単位巻部(31)、第２単位巻部(32)及び第３単位巻部(33)が三角形の３つの頂点に位置しており、下層の第１単位巻部(31)及び第２単位巻部(32)の上に、上層の第３単位巻部(33)が積み上げられている。
【００３０】
図１２〜図１７は、上記コイル装置におけるコイル(３)の巻線工程を表わしている。
先ず図１２の如く第１単位巻部(31)を形成した後、図１３の如く第１単位巻部(31)の隣に第２単位巻部(22)を形成し、その後、図１４の如くコア外周側にて第１単位巻部(31)と第２単位巻部(32)の間に第３単位巻部(33)が配置され、且つコア内周側にて第１単位巻部(31)と第２単位巻部(32)の上に第３単位巻部(33)が積み上げられる様に、第３単位巻部(33)を形成し、１つの単位コイル部(34)を完成する。
【００３１】
続いて図１５の如く該単位コイル部(34)の隣に次の第１単位巻部(31)を形成し、その後は同じ工程を繰り返すことによって、図１６及び図１７の如く複数の単位コイル部(34)を順次形成していくのである。
【００３２】
本発明の第３実施形態であるコイル装置においては、図１８に示す如く、磁気ギャップ部を有しないリング状のコア(１)の周囲に、表面が絶縁被覆された導線導線(40)を巻回してなる３つコイル(４)(４)(４)が巻装されている。
【００３３】
該コイル装置において、各コイル(４)は１本の導線(40)を連続的に巻回して形成されており、図２０に示す如く、コア(１)の外周側で１層、コア(１)の内周側で３層の積層構造を有している。
【００３４】
該コイル(４)は、コア(１)の磁路に沿って複数の単位コイル部(47)を反時計回りに順次巻回したものであり、隣接する単位コイル部(47)(47)どうしは１箇所のみにて１本の導線により互いに繋がっている。
【００３５】
各単位コイル部(47)は、第１単位巻部(41)、第２単位巻部(42)、第３単位巻部(43)、第４単位巻部(44)、第５単位巻部(45)及び第６単位巻部(46)から構成されており、コア(１)の外周側では、これらの単位巻部(41a)(42a)(43a)(44a)(45a)(46a)がコア(１)に沿って順番に並んでいる。
【００３６】
一方、コア(１)の内周側では、第１単位巻部(41)、第２単位巻部(42)及び第３単位巻部(43)が三角形の３つの頂点に位置し、第１単位巻部(41)及び第２単位巻部(42)の上に第３単位巻部(43)が積み上げられている。又、第２単位巻部(42)、第４単位巻部(44)及び第５単位巻部(45)が三角形の３つの頂点に位置し、第２単位巻部(42)及び第４単位巻部(44)の上に第５単位巻部(45)が積み上げられている。更に、第３単位巻部(43)、第５単位巻部(45)及び第６単位巻部(46)が三角形の３つの頂点に位置し、第３単位巻部(43)及び第５単位巻部(45)の上に第６単位巻部(46)が積み上げられている。
【００３７】
上記コイル(４)も、上述の第１実施形態のコイル装置と同様の巻線工程によって容易に作製することが可能である。
【００３８】
本発明の第４実施形態であるコイル装置は、図１９に示す如く、磁気ギャップ部を有しないリング状のコア(１)の周囲に、表面が絶縁被覆された導線(50)を巻回してなる３つのコイル(５)(５)(５)が巻装されている。
【００３９】
該コイル装置において、各コイル(５)は１本の導線(50)を連続的に巻回して形成されており、図２１に示す如く、コア(１)の内周側で３層の積層構造を有すると共に、コア(１)の外周側では、導線どうしが互いに重ならない位置関係の２層構造を有している。
【００４０】
該コイル(５)は、コア(１)の磁路に沿って複数の単位コイル部(57)を反時計回りに順次巻回したものであり、隣接する単位コイル部(57)(57)どうしは１箇所のみにて１本の導線により互いに繋がっている。
【００４１】
各単位コイル部(57)は、第１単位巻部(51)、第２単位巻部(52)、第３単位巻部(53)、第４単位巻部(54)、第５単位巻部(55)及び第６単位巻部(56)から構成されており、コア(１)の外周側では、コア(１)に沿って反時計方向に、第１単位巻部(51a)、第３単位巻部(53a)、第２単位巻部(52a)、第５単位巻部(55a)、第４単位巻部(54a)、第６単位巻部(56a)の順序で並んでいる。
【００４２】
一方、コア(１)の内周側では、第１単位巻部(51)、第２単位巻部(52)及び第３単位巻部(53)が三角形の３つの頂点に位置し、第１単位巻部(51)及び第２単位巻部(52)の上に第３単位巻部(53)が積み上げられている。又、第２単位巻部(52)、第４単位巻部(54)及び第５単位巻部(55)が三角形の３つの頂点に位置し、第２単位巻部(52)及び第４単位巻部(54)の上に第５単位巻部(55)が積み上げられている。更に、第３単位巻部(53)、第５単位巻部(55)及び第６単位巻部(56)が三角形の３つの頂点に位置し、第３単位巻部(53)及び第５単位巻部(55)の上に第６単位巻部(56)が積み上げられている。
【００４３】
上記コイル(５)も、上述の第２実施形態のコイル装置と同様の巻線工程によって容易に作製することが可能である。
【００４４】
上述の第１〜第４実施形態の何れのコイル装置においても、複数の単位コイル部がコアの磁路方向に沿って順次形成されているので、隣接する単位コイル部間の電位差は小さくなる。然も、各単位コイル部の巻回工程では、バンク巻きコイル装置の製造方法と同様に、下層から上層へ単位巻部が積み上げられるので、下層の２つの単位巻部の巻線番号と上層の１つの単位巻部の巻線番号との差は図３及び図４に示す２層構造では“２”、図２０及び図２１に示す３層構造では“３”に過ぎず、これは図２６に示す従来のコイル装置では最大“１４”の差があることと比較して、単位巻部間の電位差が従来よりも大幅に小さくなる。
この結果、バンク巻コイル装置と同様に単位巻部間の絶縁破壊を有効に抑制することが出来る。
【００４５】
又、第１〜第４実施形態の何れのコイル装置においても、各単位コイル部を形成する際、既に巻回されている２つの単位巻部の上に１つの単位巻部を積み上げる巻線作業を繰り返す方法が採用されているので、バンク巻きコイルの装置の製造方法によることなく、手作業によって容易に巻線を施すことが出来る。
【００４６】
図２２は、本発明の第５実施形態であるコイル装置を表わしている。
図示の如く、リング状のコア(１)の周囲に、表面が絶縁被覆された導線(70)を連続的に巻回してなるコイル(７)が巻装されており、該コイル(７)は、コア(１)の外周側で１層、コア(１)の内周側で２層の積層構造を有している。
【００４７】
該コイル(７)は、コア(１)の磁路に沿って複数の単位コイル部(74)を反時計回りに順次巻回したものであり、隣接する単位コイル部(74)(74)どうしは１箇所のみにて１本の導線により互いに繋がっている。
【００４８】
各単位コイル部(74)は、第１単位巻部(71)、第２単位巻部(72)及び第３単位巻部(73)から構成されており、コア(１)の外周側では、これらの単位巻部(71)(72)(73)がコア(１)に沿って順番に並んでいる。
一方、コア(１)の内周側では、第１単位巻部(71)、第２単位巻部(72)及び第３単位巻部(73)が三角形の３つの頂点に位置しており、下層の第１単位巻部(71)及び第３単位巻部(73)の上に、上層の第２単位巻部(72)が積み上げられている。
【００４９】
図２３及び図２４は、上記コイル装置におけるコイル(７)の巻線工程を表わしている。
先ず図２３(ａ)の如く第１単位巻部(71)を形成した後、コア内周側の第１単位巻部(71)の隣にスペーサ(８)を設置し、コア(１)及びスペーサ(８)を包囲して第２単位巻部(72)を形成する。
【００５０】
その後、図２３(ｂ)の如くスペーサ(８)を撤去し、第２単位巻部(72)の隣に第３巻部(73)を巻回する。そして、コア内周側にて第３巻部(73)を矢印の如く第１単位巻部(71)へ向けて押圧し、第２単位巻部(72)の下方に第３単位巻部(73)を潜り込ませる。これによって、図２４(ｃ)の如く下層の第１単位巻部(71)及び第３巻部(73)の上に上層の第２単位巻部(72)が積み上げられた１つの単位コイル部(74)が形成される。
【００５１】
続いて図２４(ａ)の如く第１単位巻部(71)を形成した後、コア内周側の第１単位巻部(71)の隣にスペーサ(８)を設置し、コア(１)及びスペーサ(８)を包囲して第２単位巻部(72)を形成する。
【００５２】
その後、図２４(ｂ)の如くスペーサ(８)を撤去し、第２単位巻部(72)の隣に第３巻部(73)を巻回する。そして、コア内周側にて第３巻部(73)を矢印の如く第１単位巻部(71)へ向けて押圧し、第２単位巻部(72)の下方に第３単位巻部(73)を潜り込ませる。これによって、図２４(ｃ)の如く下層の第１単位巻部(71)及び第３巻部(73)の上に上層の第２単位巻部(72)が積み上げられた１つの単位コイル部(74)が形成される。
この様にして、複数の単位コイル部(74)を順次形成することにより、図２２に示すコイル(７)が完成することになる。
【００５３】
該コイル(７)においては、各単位コイル部(74)を構成する３つの単位巻部(71)(72)(73)の配置が、図３に示す第１実施形態における３つの単位巻部(21)(22)(23)の配置とは異なり、第３単位巻部(73)の上に第２単位巻部(72)が積み上げられているが、例えば図２３及び図２４に示す巻線工程によれば、この様な積層構造を有する単位コイル部(74)を容易に形成することが出来る。
【００５４】
図２２に示すコイル装置においても、複数の単位コイル部(74)がコア(１)の磁路方向に沿って順次形成されているので、隣接する単位コイル部(74)(74)間の電位差は小さくなる。然も、互いに接触する第１単位巻部(71)と第３単位巻部(73)との巻線番号の差は“２”に過ぎず、これは図２６に示す従来のコイル装置では最大“１４”の差があることと比較して、単位巻部間の電位差が従来よりも大幅に小さくなる。
この結果、バンク巻コイル装置と同様に単位巻部間の絶縁破壊を有効に抑制することが出来る。
【００５５】
コア(１)の内周側で３層の積層構造を有するコイル装置についても、コア(１)の内周側にて、三角形の３つの頂点に位置する３つの単位巻部(71)(72)(73)を巻回する単位巻線処理を繰り返すことにより、互いに接触する単位巻部間の電位差の小さなコイル装置を得ることが出来る。
【００５６】
尚、本発明の各部構成は上記実施の形態に限らず、特許請求の範囲に記載の技術的範囲内で種々の変形が可能である。例えば、導線は断面円形の丸線に限らず、断面楕円や断面矩形の種々の導線を採用することが出来る。
又、導線は中実に限らず、内部に貫通孔を有する中空導線を採用することも可能である。
【符号の説明】
【００５７】
(１)  コア
(２)  コイル
(21)  第１単位巻部
(22)  第２単位巻部
(23)  第３単位巻部
(24)  単位コイル部
(３)  コイル
(31)  第１単位巻部
(32)  第２単位巻部
(33)  第３単位巻部
(34)  単位コイル部
(４)  コイル
(41)  第１単位巻部
(42)  第２単位巻部
(43)  第３単位巻部
(44)  第４単位巻部
(45)  第５単位巻部
(46)  第６単位巻部
(47)  単位コイル部
(５)  コイル
(51)  第１単位巻部
(52)  第２単位巻部
(53)  第３単位巻部
(54)  第４単位巻部
(55)  第５単位巻部
(56)  第６単位巻部
(57)  単位コイル部
(７)  コイル
(71)  第１単位巻部
(72)  第２単位巻部
(73)  第３単位巻部
(74)  単位コイル部
【図１】
2014056861.tif 000003
【図２】
2014056861.tif 000004
【図３】
2014056861.tif 000005
【図４】
2014056861.tif 000006
【図５】
2014056861.tif 000007
【図６】
2014056861.tif 000008
【図７】
2014056861.tif 000009
【図８】
2014056861.tif 000010
【図９】
2014056861.tif 000011
【図１０】
2014056861.tif 000012
【図１１】
2014056861.tif 000013
【図１２】
2014056861.tif 000014
【図１３】
2014056861.tif 000015
【図１４】
2014056861.tif 000016
【図１５】
2014056861.tif 000017
【図１６】
2014056861.tif 000018
【図１７】
2014056861.tif 000019
【図１８】
2014056861.tif 000020
【図１９】
2014056861.tif 000021
【図２０】
2014056861.tif 000022
【図２１】
2014056861.tif 000023
【図２２】
2014056861.tif 000024
【図２３】
2014056861.tif 000025
【図２４】
2014056861.tif 000026
【図２５】
2014056861.tif 000027
【図２６】
2014056861.tif 000028